(57)【要約】【課題】  放電電極と対向電極との間の距離を可変として印加電圧が変えられる。外観形状を変えて装置への組み込み自由度が増す。帯電微粒子水を効率よく外部に飛散させることができる。組み立てが容易である。【解決手段】  放電電極１と、空気中の水分を放電電極１に結露させるための冷却手段２と、冷却手段２を収容するためのハウジング３と、ハウジング３に設置される対向電極４とを備え、放電電極１と対向電極４との間に高電圧を印加して放電電極１の水を静電霧化させる静電霧化装置５である。ハウジング３を、冷却手段２を収納する冷却手段収容部１２を有し且つ放電電極１を保持するハウジング本体部６と、ハウジング本体部６とは別体の対向電極４を保持する対向電極保持部７とで構成する。ハウジング本体部６を対向電極保持部７と冷却手段収容部１２からの発熱を放熱するための放熱板１９との間に挟持する。【選択図】        図１
2008132473.tif 000002
【特許請求の範囲】
【請求項１】
放電電極と、放電電極を冷却して空気中の水分を該放電電極に結露させることにより水分を供給する冷却手段と、冷却手段を密閉空間内に収容し且つ放電電極を保持するためのハウジングと、放電電極に対向して位置するようにハウジングに設置される対向電極とを備え、放電電極と対向電極との間に高電圧を印加することで放電電極に保持される水分を静電霧化させる静電霧化装置において、前記ハウジングを、冷却手段を収納する冷却手段収容部を有し且つ冷却手段により冷却される放電電極を保持するハウジング本体部と、該ハウジング本体部とは別体の対向電極を保持する対向電極保持部とで構成し、前記冷却手段収容部を有するハウジング本体部が対向電極保持部と冷却手段収容部からの発熱を放熱するための放熱板との間に挟持されて成ることを特徴とする静電霧化装置。
【請求項２】
前記ハウジング本体部と対向電極保持部とを分離可能としてあることを特徴とする請求項１記載の静電霧化装置。
【請求項３】
前記ハウジング本体部に、前記対向電極保持部を位置決め設置するための位置決め部が設けてあることを特徴とする請求項１又は請求項２記載の静電霧化装置。
【請求項４】
前記ハウジングに、外部空気をハウジング内に流入させて空気流れを生じさせる空気孔を設けて発生した帯電微粒子水を空気流により外部に飛散させるように構成して成ることを特徴とする請求項１乃至請求項３のいずれか一項に記載の静電霧化装置。
【請求項５】
前記空気孔が対向電極保持部に形成され、ハウジング本体部、もしくは対向電極保持部及びハウジング本体部に、空気孔から流入した空気を整流するための整流用流路が形成してあることを特徴とする請求項４記載の静電霧化装置。
【請求項６】
空気孔より流入した空気が放電電極に当るのを防ぐための防風壁を設けて成ることを特徴とする請求項４又は請求項５記載の静電霧化装置。
【請求項７】
放電電極が突出したハウジング本体部に放電電極に高電圧を印加するための接続金具を設置すると共に、該接続金具をハウジング本体部に設けた１あるいは複数の位置固定部に固定し、接続金具に設けたリード線接続部がハウジング本体部に対して浮いた状態となっていることを特徴とする請求項１乃至請求項６のいずれか一項に記載の静電霧化装置。
【発明の詳細な説明】
【技術分野】
【０００１】
本発明は、帯電微粒子水を発生させるための静電霧化装置に関するものである。
【背景技術】
【０００２】
従来から帯電微粒子水を発生させるための静電霧化装置として特許文献１が知られている。この特許文献１に示された従来の静電霧化装置５は、図１７に示すように、放電電極１と、放電電極１を冷却して空気中の水分を該放電電極１に結露させることにより水分を供給する冷却手段２と、冷却手段２を密閉空間内に収容するためのハウジング３と、放電電極１に対向して位置するようにハウジング３に設置される対向電極４とを備えたもので、放電電極１と対向電極４との間に高電圧を印加することで放電電極１に保持される水分を静電霧化させるようになっている。
【０００３】
ハウジング３には冷却手段２を構成するペルチェユニットを収納する冷却手段収容部１２が設けてあり、冷却手段収容部１２の底部分には孔３０が設けてあり、該孔３０から冷却手段収容部に収容したペルチェユニットの冷却部に後端部が接触するように設けられた放電電極１を突出させ、更に、ハウジング３には対向電極保持部７’が一体に形成してあり、該対向電極保持部７’の先端部に対向電極４を設けて該対向電極４を上記放電電極１の先端と対向させるようになっている。
【０００４】
上記のような従来例においては、ハウジング３に対向電極保持部７’が一体に形成してあるので、放電電極１の先端と対向電極４との間の距離が固定であり、このため、印加電圧を可変することができないという問題がある。また、ハウジング３が一体形成品であるため、静電霧化装置５の外観形状が固定となり、各装置への組み込みの自由度が低いという問題がある。また、ハウジング３に空気孔９が設けてあるが、流入風が対向電極４の開口部に向かって必ずしも整流されていないので、帯電微粒子水の放出効率が低く、また、空気孔９からの流入した流入風が放電電極１に当って放電電極１の冷却効率を低下させるという問題がある。
【特許文献１】特開２００６−８２６号公報
【発明の開示】
【発明が解決しようとする課題】
【０００５】
本発明は上記の従来の問題点に鑑みて発明したものであって、放電電極と対向電極との間の距離を可変として容易に印加電圧を変えることができ、また、容易に外観形状を変えて装置への組み込み自由度を増すと共に組み立てが簡略化でき、また、発生した帯電微粒子水を効率よく外部に飛散させることができる静電霧化装置を提供することを課題とするものである。
【課題を解決するための手段】
【０００６】
上記課題を解決するために本発明に係る静電霧化装置は、放電電極１と、放電電極１を冷却して空気中の水分を該放電電極１に結露させることにより水分を供給する冷却手段２と、冷却手段２を密閉空間内に収容し且つ放電電極１を保持するためのハウジング３と、放電電極１に対向して位置するようにハウジング３に設置される対向電極４とを備え、放電電極１と対向電極４との間に高電圧を印加することで放電電極１に保持される水分を静電霧化させる静電霧化装置５において、前記ハウジング３を、冷却手段２を収納する冷却手段収容部１２を有し且つ冷却手段２により冷却される放電電極１を保持するハウジング本体部６と、該ハウジング本体部６とは別体の対向電極４を保持する対向電極保持部７とで構成し、前記冷却手段収容部１２を有するハウジング本体部６が対向電極保持部７と冷却手段収容部１２からの発熱を放熱するための放熱板１９との間に挟持されて成ることを特徴とするものである。
【０００７】
このような構成とすることで、対向電極４を保持する対向電極保持部７の寸法の異なるものを任意にハウジング本体部６に組み合わせてハウジング３を形成することで、簡単に放電電極１と対向電極４との間の距離を変えて印加電圧を変えることができ、また、対向電極保持部７の形状を変えることで、簡単にハウジング３の外観形状を変えることができ、しかも、このように、印加電圧を簡単に変えたり外観形状を変えたりできるように、ハウジング３をハウジング本体部６と別体の対向電極保持部７とで構成したにもかかわらず、冷却手段収容部１２を有するハウジング本体部６が対向電極保持部７と冷却手段収容部１２からの発熱を放熱するための放熱板１９との間に挟持してあるので、放電電極１を保持し且つ冷却手段収容部１２に冷却手段２を収容して静電霧化装置を組み立てる際、ハウジング本体部６を対向電極保持部７と冷却手段収容部１２とにより挟持するだけで簡単且つ正確に静電霧化装置の組み立てができ、組み立てが簡略化できる。
【０００８】
また、ハウジング本体部６と対向電極保持部７とを分離可能としてあることが好ましい。
【０００９】
このようにハウジング本体部６と対向電極保持部７とを分離可能とすることで、対向電極保持部７の交換や、ハウジング本体部６と対向電極保持部７との組み合わせ交換が可能となる。
【００１０】
また、ハウジング本体部６に、前記対向電極保持部７を位置決め設置するための位置決め部８が設けてあることが好ましい。
【００１１】
このような構成とすることで、対向電極保持部７がハウジング本体部６と別体であるにもかかわらず、簡単に対向電極保持部７をハウジング本体部６の正確な位置に位置決めして取付けることができて、対向電極４を放電電極１に対して設計通りの位置関係にできる。
【００１２】
また、ハウジング３に、外部空気をハウジング３内に流入させて空気流を生じさせる空気孔９を設けて発生した帯電微粒子水を空気流により外部に飛散させるように構成することが好ましい。
【００１３】
このような構成とすることで、ハウジング３の外から外部空気を空気孔９を介してハウジング３内に流入できて、発生した帯電微粒子水を流入した空気流によりスムーズに外部に飛散させることができる。
【００１４】
また、空気孔９が対向電極保持部７に形成され、ハウジング本体部６、もしくは対向電極保持部７及びハウジング本体部６に、空気孔９から流入した空気を整流するための整流用流路１０が形成してあることが好ましい。
【００１５】
このような構成とすることで、空気孔９から流入した空気を整流用流路１０を通過させることで整流し、発生した帯電微粒子水を整流した空気流れによりスムーズに外部に飛散させることができる。
【００１６】
また、空気孔９より流入した空気が放電電極１に当るのを防ぐための防風壁１１を設けることが好ましい。
【００１７】
このような構成とすることで、空気孔９から流入した空気が放電電極１に当って放電電極１の冷却効率が低下することを防止でき、結露水の生成が効率よく行え、安定して効率よく静電霧化ができる。
【００１８】
また、放電電極１が突出したハウジング本体部６に放電電極１に高電圧を印加するための接続金具３６を設置すると共に、該接続金具３６をハウジング本体部６に設けた１あるいは複数の位置固定部に固定し、接続金具３６に設けたリード線接続部３９がハウジング本体部６に対して浮いた状態となっていることが好ましい。
【００１９】
このように接続金具３６に設けたリード線接続部３９がハウジング本体部６に対して浮いた状態となっていることで、接続金具３６のリード線接続部３９部分にばね性を持たせることができ、該ばね性でリード線接続部３９にかかる応力を緩和して位置固定部における接続金具３６の固定の信頼性を確保でき、また、位置固定部を複数設けた場合は、接続金具３６の回転方向の動きを拘束することができて、放電電極１にかかる応力を抑制できる。
【発明の効果】
【００２０】
本発明は、ハウジングが、冷却手段を収納する冷却手段収容部を有し且つ冷却手段により冷却される放電電極を保持するハウジング本体部と、ハウジング本体部とは別体の対向電極を保持する対向電極保持部とで構成してあるので、寸法や形状の異なる対向電極保持部をハウジング本体部に組み合わせるだけで、簡単に放電電極と対向電極との間の距離を変えて印加電圧を変えて装置に適応した印加電圧に設定したり、ハウジングの外観形状を変えて装置に組み込む自由度を増すことができ、しかも、このように、印加電圧を簡単に変えたり外観形状を変えたりできるように、ハウジングをハウジング本体部と別体の対向電極保持部とで構成したにもかかわらず、放電電極を保持し且つ冷却手段収容部に冷却手段を収容して静電霧化装置を組み立てる際、ハウジング本体を対向電極保持部と冷却手段収容部とにより挟持するだけで簡単且つ正確に静電霧化装置の組み立てができ、組み立てが簡略化し装置の構造が簡略化できる。
【発明を実施するための最良の形態】
【００２１】
以下、本発明を添付図面に示す実施形態に基いて説明する。
【００２２】
まず、図１乃至図３に示す実施形態に基づいて本発明の一実施形態を説明する。本発明においてハウジング３は、ハウジング本体部６と、ハウジング本体部６とは別体の対向電極保持部７とを分離可能に組み合わせることで構成してある。
【００２３】
ハウジング本体部６はＰＢＴ樹脂やポリカーボネート樹脂やＰＰＳ樹脂や液晶ポリマー等の絶縁材料を用いて形成してあり、ハウジング本体部６には下面が開口した凹所１２ａが形成してあり、該凹所１２ａが冷却手段収容部１２となっている。また、ハウジング本体部６の凹所１２ａの底部（つまり、ハウジング本体部６の上面部）の中央には放電電極１を挿通するための孔３０が設けてある。
【００２４】
冷却手段収容部１２を構成する凹所１２ａ内には冷却手段２を構成するペルチェユニット２ａが収容される。ペルチェユニット２ａは、熱伝導性の高いアルミナや窒化アルミニウムからなる絶縁板の片面側に回路を形成してある一対のペルチェ回路板１５を、互いの回路が向き合うように対向させ、多数列設してあるＢｉＴｅ系の熱電素子１６を両ペルチェ回路板１５間で挟持すると共に隣接する熱電素子１６同士を両側の回路で電気的に接続させ、ペルチェ入力リード線を介してなされる熱電素子１６への通電により一方のペルチェ回路板１５側から他方のペルチェ回路板１５側に向けて熱が移動するように設けたものである。更に、上記一方の側（以下、冷却側という）のペルチェ回路板１５の外側には熱伝導性グリース、熱伝導性接着剤、導電性ペースト等の熱伝導性膜３１を介して放電電極１の後端部の大径部３２を接触させた状態で放電電極１を孔３０に挿通して放電電極１の後端部を残してハウジング本体部６の上方に突出させてある。
【００２５】
また、凹所１２ａ内にペルチェユニット２ａを収容した状態で、凹所１２ａの下端の開口を放熱板１９により遮蔽してあり、ペルチェユニット２ａの上記他方の側（以下、放熱側という）のペルチェ回路板１５の外側を熱伝導性グリース、熱伝導性接着剤、導電性ペースト等の熱伝導性膜３１を介して上記放熱板１９が当接してある。放熱板１９には必要に応じて放熱フィンを設けてもよい。
【００２６】
上記のように冷却手段２であるペルチェユニット２ａを冷却手段収容部１２である凹所１２ａに収容した状態で放熱板１９で凹所１２ａの開口を閉じることで冷却手段２を密閉空間内に収容することになる。ここで、密閉空間の密閉性をより確実にするためにエポキシ樹脂等の封止部材３４を用いて部材間を封止するようにしてある。
【００２７】
熱電素子１６に通電すると、放電電極１が冷却され、放電電極１の空気と接する面に空気中の水分（湿気）が結露して放電電極１に結露水が生成するようになっている。
【００２８】
また、ハウジング本体部６の上面部には環状突起４９が設けてあり、ハウジング本体部６の上面部には更に環状突起４９よりも外側位置に接続金具３６を固定するための位置固定部となる１乃至複数の取付け用突起２９が突設してあり、この取付け用突起２９に接続金具３６の取付け孔３７を嵌め込んで取付けてあり、また、接続金具３６の一端部の電極嵌め込み部３８が放電電極１に嵌め込んである。接続金具３６にはリード線接続部３９が設けてある。接続金具３６は図１６に模式的に記載しているように、平面視略Ｔ字状をしており、一片３６ａの片側半分に１乃至複数の取付け孔３７を設けてあると共に該一片３６ａの他の片側半分部にリード線接続部３９が設けてあり、該一片３６ａの取付け孔３７を設けた方の片側半分側から先端に電極嵌め込み部３８を有する他の片３６ｂが一体に突設して構成してある。
【００２９】
そして、図１、図２、図１６に示すように、接続金具３６の一片３６ａの他の片側半分の先端部の自由端部分にリード線接続部３９が設けてあり、ハウジング本体部６の位置固定部に対して放電電極１の突出方向にずれて位置するように、接続金具３６の一片３６ａの片側半部のハウジング本体部６の位置固定部への固定部分（取付け孔３７を嵌め込んで固定する部分）からリード線接続部３９までの部位が、図１６（ｂ）のようにリード線接続部３９側に向かうにしたがって次第にハウジング本体部６の上面部から離れるように斜めに傾斜し且つハウジング本体部６に対して浮いた状態となっている。したがって、接続金具３６の接続金具３６のハウジング本体部６の位置固定部への固定部分からリード線接続部３９までの部位はばね性を有しており、このばね性によりリード線接続部３９にかかる応力を緩和して位置固定部にかかる応力を緩和して位置固定部における固定の信頼性を向上させることができるようになっている。また、位置固定部を複数設けた場合は、接続金具３６の回転方向の動きを拘束することができて、放電電極１にかかる応力を抑制でき、放電電極１の破損や、放電電極１とペルチェ回路板１５側との接合部分の剥離を防止することができる。また、位置固定部を１つにする場合は、位置固定部を構成する取付け用突起２９の断面形状を楕円形や角形状等の非円形状とすることで、接続金具３６の回転方向の動きを拘束することができて、放電電極１にかかる応力を抑制できる。
【００３０】
また、図示していないが、接続部の接触信頼性を向上させるため、環状突起４９が形成する凹部に封止樹脂を充填し、放電電極１と接続金具３６の接触部周囲を封止樹脂で固めてもよい。
【００３１】
更に、ハウジング本体部６には両側面部に位置決め用リブ８ａが設けてあり、また、ハウジング本体部６の上面部の両側上面部及びハウジング本体部６の両側面部に設けた段部６ａの上面がそれぞれ位置決め面部８ｂとなっており、上記位置決め用リブ８ａ、位置決め面部８ｂが後述の対向電極保持部７と組み合わせる際の位置決め部８となっている。
【００３２】
対向電極保持部７はＰＢＴ樹脂やポリカーボネート樹脂やＰＰＳ樹脂や液晶ポリマー等の絶縁材料を用いて形成してあり、筒状部４０の下部両側に下方に向けてＬ状をした一対の脚部４１が垂設してあり、一対の脚部４１の下端部にはそれぞれ外側方に向けて固定部４２が一体に連出してある。また、一対の脚部４１の内面には対向内面及び下方に開口する被位置決め溝４３ａが設けてあり、更に、脚部４１の垂下基部及び脚部４１の下端部の固定部４２の突出基部のそれぞれ断面Ｌ状に屈曲した部分の内面部が被位置決め面部４３ｂとなっており、被位置決め溝４３ａ、被位置決め面部４３ｂがハウジング本体部６と組み合わせる際に上記位置決め部８と位置決めされる被位置決め部４４となっている。
【００３３】
また、一対の脚部４１の突出基部には孔部５２が設けてあり、一対の脚部４１の両端間はそれぞれ側方開口部５１となっている。
【００３４】
対向電極保持部７の上端部（実施形態においては筒状部４０の上端開口縁部）には対向電極４を有する対向電極板４５が取付けてあり、添付図面に示す実施形態では対向電極４は中央開口が円状をしたドーナツ板状をしていて中央開口の縁が対向電極４となっている。
【００３５】
上記の構成の対向電極４を保持した対向電極保持部７を前述のハウジング本体部６に位置決めして組み合わせることでハウジング３を構成するものである。組み合わせるに当っては、対向電極保持部７の一対の脚部４１をハウジング本体部６の両側部に上方から被せるようにして組み合わせるのであるが、この場合、被位置決め溝４３ａに位置決め用リブ８ａを嵌め込むことで、ハウジング本体部６に対して対向電極保持部７が水平方向の位置決め（放電電極１の軸方向に対して垂直な面内での位置決め）が行われ、また、ハウジング本体部６の上面部の両側上面部及びハウジング本体部６の両側面部に設けた段部６ａの上面に設けた位置決め面部８ｂに、それぞれ脚部４１の垂下基部及び脚部４１の下端部の固定部４２の突出基部の被位置決め面部４３ｂを当接することで、ハウジング本体部６に対して対向電極保持部７の上下方向（放電電極１の軸方向に対して平行な方向の位置決め）がなされ、この位置決め状態で対向電極保持部７の固定部４２を放熱板１９に固着具４６で固着することで、ハウジング本体部６を対向電極保持部７と放熱板１９とで挟持することで、ハウジング本体部６と対向電極保持部７とが位置決め状態で組み合わせ結合されることになる。
【００３６】
ここで、上記のように対向電極保持部７に屈曲した（実施形態ではＬ状に屈曲した）被位置決め面部４３ｂを１つ以上（図１乃至図４に示す実施形態では２つであるが、１つ又は３つ以上であってもよい）設けることで、対向電極保持部７の脚部４１にばね性を持たせ、ペルチェユニット２ａにかかる応力を緩和するようにしてある。
【００３７】
また、図３（ａ）のイで示す対向電極保持部７の上記脚部４１の垂下基部の被位置決め面部４３ｂがハウジング本体部６の上面部側端の位置決め面部８ｂに押し当たる部分が、図３（ｂ）に示すように、ハウジング本体部６の上面部における冷却手段収容部１２の側周囲を囲む壁１２ｂの厚みに対応する部位のみに押し当たるように構成してあり（脚部４１の垂下基部の被位置決め面部４３ｂの横巾が冷却手段収容部１２の壁１２ｂの厚みと同じ又は小さい）、脚部４１の垂下基部の被位置決め面部４３ｂが、ハウジング本体部６の上面部における冷却手段収容部１２の壁１２ｂの厚みに対応する部位以外の部分（ハウジング本体部６の上面部における冷却手段収容部１２の壁１２ｂに囲まれた部分）に押し当たってこの部分を押さないようになっている。これにより、対向電極保持部７の上記脚部４１の垂下基部の被位置決め面部４３ｂがハウジング本体部６の上面部側端の位置決め面部８ｂに押し当てた際の力が冷却手段収容部１２の壁１２ｂで受けられ、ハウジング本体部６の上面部における冷却手段収容部１２の壁１２ｂに囲まれた部分が押付けにより下方に撓んでペルチェユニット２ａに応力が作用するのが緩和され、信頼性が向上するようになっている。
【００３８】
本発明においては、前述のように、冷却手段収容部１２を有するハウジング本体部６が対向電極保持部７と冷却手段収容部１２からの発熱を放熱するための放熱板１９との間に挟持する構成となっているので、印加電圧を簡単に変えたり外観形状を変えたりできるように、ハウジング３をハウジング本体部６と別体の対向電極保持部７とで構成したにもかかわらず、放電電極１を保持し且つ冷却手段収容部１２に冷却手段２を収容して静電霧化装置を組み立てる際、ハウジング本体部６を対向電極保持部７と冷却手段収容部１２とにより挟持するだけで簡単且つ正確に静電霧化装置の組み立てができ、組み立てが簡略化でき、また静電霧化装置の構造が簡略化できる。
【００３９】
ハウジング本体部６に対向電極保持部７を位置決めして組み合わせて構成したハウジング３には孔部５２、側方開口部の上部がそれぞれハウジング３の内外に連通してハウジング３内（この場合筒状部４０内）に外部空気を導入するための空気孔９を構成している。筒状部４０は環状突起４９よりも大径となっており、環状突起４９の上端部と筒状部４０の下端との間に空気孔９から流入した空気を整流するための整流用流路１０が形成してある。
【００４０】
上記のように位置決めして組み合わせることで、ハウジング本体部６に保持した放電電極１の先端と、ハウジング本体部６とは別体の対向電極保持部７に設けた対向電極４とを設計通りの位置関係となるように精度良く組み立てることができて、安定した静電霧化が実現できる。
【００４１】
上記被位置決め溝４３ａに位置決め用リブ８ａを嵌め込むに当って、図２のように位置決め用リブ８ａの先端部（上端部）を先端程細くなるようにテーパ状のガイド部とすることで、嵌め込みが容易となって対向電極保持部７とハウジング本体部６との組立てが容易となる。
【００４２】
上記のような構成の静電霧化装置５は放電電極１と対向電極４との間に高電圧を印加することができるように高電圧印加部（図示せず）に接続したリード線がそれぞれ放電電極１と対向電極４とに接続される。この場合、放電電極１側においては、放電電極１に接続する接続金具３６のリード線接続部３９に接続されるもので、リード線は一対の脚部４１間の開口部から導出される。
【００４３】
上記のような構成の静電霧化装置５は、前述のように熱電素子１６に通電して放電電極１を冷却することで、空気中の水分が放電電極１の先端部に結露して水が供給される。そして、高電圧印加部から放電電極１と対向電極４との間に高電圧を印加すると、高電圧の印加により放電電極１側が負電極となって放電電極１の先端部に供給された水が帯電し、帯電した水にクーロン力が働き、水の液面が局所的に円錐形状に盛り上がってテイラーコーンが形成され、このテイラーコーンの先端に電荷が集中して電荷の密度が高密度となり、テイラーコーンの先端部分の水が大きなエネルギー（高密度となった電荷の反発力）を受けて表面張力を超えてはじけるようにして水が分裂・飛散（レイリー分裂）を繰り返して静電霧化を行い、活性種（ラジカル）を含むナノメータサイズの帯電微粒子水が発生する。
【００４４】
ここで、静電霧化装置５を組み込む例えば空気清浄器、ヘアードライヤ、ヘアーブラシ等の組み込み先の装置により印加電圧に制約がある場合、放電電極１と対向電極４とが目的とする印加電圧となるような距離となるようにハウジング３に保持する必要がある。このため、従来にあっては、目的の距離関係となるように放電電極１と対向電極４を保持したハウジング３を複数種類用意する必要があるが、本発明においては、ハウジング本体部６と対向電極保持部７とが別体で分離可能となっているので、対向電極保持部７の寸法が異なるものを複数種類用意することで、共通のハウジング本体部６にいずれかの対向電極保持部７を前述のように組み合わせることで、放電電極１と対向電極４との間の距離を目的の印加電圧となるように設定することができる。図４、図５には、対向電極保持部７の上下長さの異なるものをそれぞれ共通のハウジング本体部６に組み合わせてハウジング３を形成することで電極間距離Ｈの異なる静電霧化装置５を構成した例を示している。例えば、図４（ａ）に示す場合印加電圧が４〜５ｋＶとなるようにした例であるとすると、図４（ｂ）のように電極間距離Ｈを短くすることで印加電圧を２〜３ｋＶにすることができる。
【００４５】
また、図４（ａ）、図４（ｂ）において矢印は静電霧化により発生した帯電微粒子水の拡散方向を示しており、電極間距離Ｈが長い図４（ａ）の場合は帯電微粒子水の拡散方向は鋭角で、電極間距離Ｈが短い図４（ｂ）の場合は帯電微粒子水の拡散方向は広角となる。したがって、共通のハウジング本体部６に組み合わせる対向電極保持部７を選択することで、帯電微粒子水の拡散方向を異ならせることができ、静電霧化装置５の組み込み先の装置に応じて拡散方向の調整が可能となる。
【００４６】
更に、共通のハウジング本体部６に組み合わせる対向電極保持部７として形状の異なるものを複数用意することで、静電霧化装置５の組み込み先の装置に対応した組み込み易い形状のハウジング３とすることができ、様々な装置に静電霧化装置５を組み込むことが可能となる。
【００４７】
図５乃至図９にはハウジング本体部６と対向電極保持部７との組み合わせに当って位置決めするための位置決め部８及び被位置決め部４４の他の実施形態が示してある。
【００４８】
図５、図６はそれぞれ、対向電極保持部７の下部に円筒状又は角筒状をした被嵌め込み部６０を設け、被嵌め込み部６０を有底円筒状又は有底角筒状をしたハウジング本体部６に圧入して被嵌することで位置決めをするようになっている。ここで、円筒状又は角筒状をした被嵌め込み部６０の突出基部の内面及び内側面がそれぞれ上下方向及び水平方向の被位置決め部４４となっており、有底円筒状又は有底角筒状をしたハウジング本体部６の上面の外周縁部及び外側面がそれぞれ上記上下方向及び水平方向の被位置決め部４４と当接する上下方向及び水平方向の位置決め部８となっている。なお、図６においてはハウジング本体部６の上面と外側面とのなすコーナ部分に傾斜面６１を設けて嵌め込みがし易くしてある。なお、円筒状の場合は、被嵌め込み部６０、ハウジング本体部６のいずれか一方に回転止めのためのキー部、他方にキー溝を設けて回転しないように係合する。
【００４９】
図７に示す実施形態では円筒状をした被嵌め込み部６０の内面に雌ねじを設けて被位置決め部４４を構成し、有底円筒状をしたハウジング本体部６の外側面に雄ねじを設けて位置決め部８を設け、雌ねじを雄ねじに対して奥まで螺合すること位置決めするようになっている。この場合、螺合深さを調整することで位置調整することも可能である。
【００５０】
また、図８に示す実施形態では、有底円筒状又は有底角筒状をしたハウジング本体部６の上面外周部に上方に向けて位置決め部８となる嵌め込み筒部６２を突設し、対向電極保持部７の下部に内側段部６３を介して被位置決め部４４となる一対の脚部４１又は筒体部を垂設し、嵌め込み筒部６２に脚部４１又は筒体部を嵌め込むことで位置決めするようになっている。嵌め込み筒部６２の上端及び内側面が内側段部６３及び脚部４１又は筒体部の外面に当接することで上下方向および水平方向の位置決めをしている。
【００５１】
また、図９に示す実施形態では、ハウジング本体部６に位置決め部８を構成するボス６４を突設し、対向電極保持部７に被位置決め部４４となる孔６５を形成し、孔６５をボス６４に嵌め込むことで位置決めするようになっている。また、この実施形態では、対向電極保持部７の下端部に外側方に向けて突設した固定部４２を、ハウジング本体部６の下端部に外側方に向けて突設した固定片６６に重ねた状態で固定部４２、固定片６６を放熱板１９に固着具４６で固着するようになっている。そして、孔６５を固定部４２に設け、ボス６４を固定片６６に設けてある。
【００５２】
ところで、発生した帯電微粒子水はドーナツ状をした対向電極４の開口から外部に放出されるのであるが、この場合、図１０に示すように対向電極保持部７には空気孔９を形成することで、空気孔９から外部空気を対向電極保持部７内に導入して空気流を生じさせ、発生した帯電微粒子水をこの空気流により対向電極４の開口から外部に効果的に飛散して放出することができる。
【００５３】
ここで、空気孔９の開口面積は対向電極４の開口の面積と同等か又はそれ以上が望ましく、これにより流入風と排出風との不整合をなくし、帯電微粒子水を効率よく外部に放出することができる。また、空気孔９は放電電極１の先端部よりも下方に設けるのが好ましく、このため、対向電極保持部７の下部に設ける。
【００５４】
上記のように外部空気を空気孔９から流入させて発生した帯電微粒子水を流入した空気流によりスムーズに外部に飛散させるに当って、ハウジング本体部６あるいは、対向電極保持部７及びハウジング本体部６には、空気孔９から流入した空気を整流するための整流用流路１０が形成されることにより、空気孔９から流入した空気を整流用流路１０を通過させることで整流し、発生した帯電微粒子水を整流した空気流れによりスムーズに外部に飛散させることができる。
【００５５】
図３、図１１には整流用流路１０の一実施形態が示してあり、対向電極保持部７とハウジング本体部６との間に対向電極保持部７に設けた空気孔９から流入した空気を整流するための整流用流路１０が形成した例である。また、図１２にはハウジング本体部６に対向電極保持部７に設けた空気孔９から流入した空気を整流するための整流用流路１０が形成した例が示してある。また、図１３には整流用流路１０の上流側を対向電極保持部７とハウジング本体部６との間に形成すると共に下流側を対向電極保持部７に形成した例が示してある。いずれの場合も、ハウジング本体部６と対応電極保持部７とが別体に形成されているため、ハウジングに複雑な加工をしなくても、容易に整流用流路１０を形成することができる。ここで、空気流の整流用流路１０の出口から流れ方向が図１２のように対向電極４の開口に向けて斜め方向に傾斜していたり、あるいは図１３のように流れ方向が放電電極１と平行方向となっていて対向電極４の開口方向を向いていたりするものにおいては、空気流が直接放電電極１に当って冷却効率を低下させないようにできる。
【００５６】
また、図１４のようにハウジング本体部６に空気孔９から流入した空気が放電電極１に当るのを防ぐための防風壁１１を設けたり、あるいは、図３に示すように放電電極１に被嵌する断熱性を有するキャップ部７０の外面部に防風壁１１を形成したり、あるいは、図１５に示すように対向電極保持部７に防風壁１１を形成したりすることで、空気孔９から流入した空気が放電電極１に当って放電電極１の冷却効率が低下することを防止でき、結露水の生成が効率よく行え、安定して効率よく静電霧化ができる。ここで、図１４に示すように防風壁１１を円錐台のような外面がテーパ状となっていると、風が負圧の発生を防止して放電電極１の先端部から対向電極４の開口方向に向けてスムーズな流れを作るためより一層発生した帯電微粒子水を空気流れによりスムーズに外部に飛散させることができる。
【００５７】
なお、前述の各実施形態において、図１４に示すようにハウジング本体部６、対向電極保持部７をそれぞれ別々に固着具４６又は接着で放熱板１９に固着するようにしてもよい。
【図面の簡単な説明】
【００５８】
【図１】本発明の一実施形態を示す斜視図である。
【図２】同上の分解斜視図である。
【図３】（ａ）は同上の断面図であり、（ｂ）は同上の（ａ）のイ部分の拡大断面図である。
【図４】（ａ）（ｂ）は上下方向の寸法の異なる対向電極保持部を共通のハウジング本体と組み合わせた例を示す断面図である。
【図５】本発明の更に他の実施形態の断面図である。
【図６】本発明の更に他の実施形態の分解断面図である。
【図７】本発明の更に他の実施形態の断面図である。
【図８】本発明の更に他の実施形態の断面図である。
【図９】本発明の更に他の実施形態の断面図である。
【図１０】本発明の更に他の実施形態の断面図である。
【図１１】本発明の更に他の実施形態の断面図である。
【図１２】本発明の更に他の実施形態の断面図である。
【図１３】本発明の更に他の実施形態の断面図である。
【図１４】本発明の更に他の実施形態の断面図である。
【図１５】本発明の更に他の実施形態の断面図である。
【図１６】本発明における接続金具の取付けを示す図面で、（ａ）は平面図であり、（ｂ）は正面断面図である。
【図１７】従来例を示す断面図である。
【符号の説明】
【００５９】
１  放電電極
２  冷却手段
３  ハウジング
４  対向電極
５  静電霧化装置
６  ハウジング本体部
７  対向電極保持部
８  位置決め部
９  空気孔
１０  整流用流路
１１  防風壁
１２  冷却手段収容部
【図１】
2008132473.tif 000003
【図２】
2008132473.tif 000004
【図３】
2008132473.tif 000005
【図４】
2008132473.tif 000006
【図５】
2008132473.tif 000007
【図６】
2008132473.tif 000008
【図７】
2008132473.tif 000009
【図８】
2008132473.tif 000010
【図９】
2008132473.tif 000011
【図１０】
2008132473.tif 000012
【図１１】
2008132473.tif 000013
【図１２】
2008132473.tif 000014
【図１３】
2008132473.tif 000015
【図１４】
2008132473.tif 000016
【図１５】
2008132473.tif 000017
【図１６】
2008132473.tif 000018
【図１７】
2008132473.tif 000019